(57)【要約】【課題】Ｗｅｂコンテンツを構成する特定の記事項目に関連した番組コンテンツを、この記事項目について言及した位置から再生させることが可能な録画再生装置及び方法を提供する。【解決手段】記憶装置に録画された各番組コンテンツについて、同一の番組コンテンツ及び同一の出現時間から各々抽出した番組キーワード群を、Ｗｅｂコンテンツを構成する記事項目に含まれるＷｅｂキーワード群と比較し、一致したキーワードに基づいて、当該記事項目に関連する関連番組が前記各番組キーワード群の出現時間に存在するか否かを判定し、関連番組が存在すると判定した出現時間を、当該出現時間の識別情報に対応する番組コンテンツの再生開始ポイントとした再生指示情報を生成し、前記記事項目と関連付けて表示装置に表示させる。【選択図】図５
2011239085.tif 000002
【特許請求の範囲】
【請求項１】
放送局から放送された番組コンテンツを、当該番組コンテンツの番組内容を表した番組固有情報とともに記憶装置に記憶する番組録画手段と、
前記記憶装置に記憶された各番組コンテンツの番組固有情報に含まれた所定の文字列を、番組キーワードとして抽出する番組キーワード抽出手段と、
前記番組キーワード抽出手段が抽出した番組キーワードを、当該番組キーワードの抽出元の番組コンテンツを識別する識別情報と、当該番組キーワードが前記番組コンテンツ内に出現する出現時間と関連付けて管理する管理手段と、
Ｗｅｂサーバにアクセスし、当該Ｗｅｂサーバから提供されたＷｅｂコンテンツを取得するＷｅｂコンテンツ取得手段と、
前記Ｗｅｂコンテンツを構成する記事項目に含まれた所定の文字列を、Ｗｅｂキーワードとして抽出するＷｅｂキーワード抽出手段と、
同一の前記識別情報で且つ同一の前記出現時間に関連付けられた各番組キーワード群を、同一の記事項目から抽出されたＷｅｂキーワード群と比較し、一致したキーワードに基づいて、当該記事項目に関連する関連番組が前記各番組キーワード群の出現時間に存在するか否かを判定する判定手段と、
前記関連番組が存在すると判定された出現時間を、当該出現時間の識別情報に対応する番組コンテンツの再生開始ポイントとした再生指示情報を生成し、この生成した再生指示情報を前記記事項目と関連付けて表示装置に表示させる表示制御手段と、
を備えたことを特徴とする録画再生装置。
【請求項２】
ユーザ操作を受け付ける操作受付手段と、
前記操作受付手段が前記再生指示情報の選択を受け付けた場合に、この選択された再生指示情報に基づいて、前記番組コンテンツの再生を前記出現時間から開始させる再生制御手段と、
を更に備えたことを特徴とする請求項１に記載の録画再生装置。
【請求項３】
前記再生制御手段は、前記選択された再生指示情報に複数の出現時間が含まれている場合に、これら複数の出現時間から何れか一の出現時間を選択可能な選択画面を前記表示装置に表示させ、この選択画面から選択された出現時間の番組コンテンツを再生の対象に設定することを特徴とする請求項２に記載の録画再生装置。
【請求項４】
前記再生制御手段は、前記再生指示情報に含まれた出現時間の各々に対し、当該出現時間に対応する番組コンテンツの識別情報と、当該出現時間の番組キーワード群と、を関連付けて列挙した前記選択画面を前記表示装置に表示することを特徴とする請求項３に記載の録画再生装置。
【請求項５】
前記再生制御手段は、前記再生指示情報に含まれた出現時間の各々に対し、当該出現時間に対応する番組コンテンツの識別情報と、当該出現時間の番組キーワード群のうち前記Ｗｅｂキーワード群と一致した一致キーワードと、を関連付けて列挙した前記選択画面を前記表示装置に表示することを特徴とする請求項３に記載の録画再生装置。
【請求項６】
前記Ｗｅｂキーワード抽出手段は、前記操作受付手段が選択を受け付けた一の記事項目から、前記Ｗｅｂキーワードの抽出を行うことを特徴とする請求項２〜５の何れか一項に記載の録画再生装置。
【請求項７】
前記Ｗｅｂキーワード抽出手段は、前記Ｗｅｂコンテンツを構成する全て又は一部の記事項目から、前記Ｗｅｂキーワードの抽出を行うことを特徴とする請求項１〜５の何れか一項に記載の録画再生装置。
【請求項８】
前記表示制御手段は、前記判定手段により関連番組が存在すると判定された記事項目に対し、関連番組の再生が可能であることを表した表記情報を関連付け、前記Ｗｅｂコンテンツとともに前記表示装置に表示させることを特徴とする請求項７に記載の録画再生装置。
【請求項９】
番組録画手段が、放送局から放送された番組コンテンツを、当該番組コンテンツの番組内容を表した番組固有情報とともに記憶装置に記憶する番組録画工程と、
番組キーワード抽出手段が、前記記憶装置に記憶された各番組コンテンツの番組固有情報に含まれた所定の文字列を、番組キーワードとして抽出する番組キーワード抽出工程と、
管理手段が、前記番組キーワード抽出工程で抽出された番組キーワードを、当該番組キーワードの抽出元の番組コンテンツを識別する識別情報と、当該番組キーワードが前記番組コンテンツ内に出現する出現時間と関連付けて管理する管理工程と、
Ｗｅｂコンテンツ取得手段が、Ｗｅｂサーバにアクセスし、当該Ｗｅｂサーバから提供されたＷｅｂコンテンツを取得するＷｅｂコンテンツ取得工程と、
Ｗｅｂキーワード抽出手段が、前記Ｗｅｂコンテンツを構成する記事項目に含まれた所定の文字列を、Ｗｅｂキーワードとして抽出するＷｅｂキーワード抽出工程と、
判定手段が、同一の前記識別情報で且つ同一の前記出現時間に関連付けられた各番組キーワード群を、同一の記事項目から抽出されたＷｅｂキーワード群と比較し、一致したキーワードに基づいて、当該記事項目に関連する関連番組が前記各番組キーワード群の出現時間に存在するか否かを判定する判定工程と、
表示制御手段が、記関連番組が存在すると判定された出現時間を、当該出現時間の識別情報に対応する番組コンテンツの再生開始ポイントとした再生指示情報を生成し、この生成した再生指示情報を前記記事項目と関連付けて表示装置に表示させる表示制御工程と、
を含むことを特徴とする録画再生方法。
【発明の詳細な説明】
【技術分野】
【０００１】
本発明の実施形態は、録画再生装置及び方法に関する。
【背景技術】
【０００２】
従来、Ｗｅｂブラウザ機能を具備したＰＣ(Personal  Computer)等の情報通信端末では、インターネット上のＷｅｂサイトにアクセスすることで、当該Ｗｅｂサイトから提供されるＷｅｂコンテンツを取得し、表示することが行われている。また、Ｗｅｂブラウザ機能を具備したＴＶ番組（番組コンテンツ）の録画再生を行う録画再生装置やＴＶ装置も提供されており、ＴＶ画面でＷｅｂコンテンツを閲覧することが可能となってきている。
【０００３】
ところで、録画再生装置で録画された番組コンテンツの中には、Ｗｅｂコンテンツの記事項目と共通する話題や内容に言及したものが存在する可能性がある。従来、ユーザが閲覧するＷｅｂコンテンツに含まれたキーワード（単語）に基づき、当該キーワードを含んだ番組コンテンツをユーザに提示することで、番組コンテンツの再生支援を行う技術が知られている。
【先行技術文献】
【特許文献】
【０００４】
【特許文献１】特開２００９−１８１５０３号公報
【発明の概要】
【発明が解決しようとする課題】
【０００５】
しかしながら、従来技術では、Ｗｅｂコンテンツに関連した番組コンテンツをユーザに提示することで、当該番組コンテンツの再生をユーザに促すことは可能であるが、その番組コンテンツの再生を開始する位置については特に考慮されておらず、ユーザの利便性向上のため改善の余地があった。
【０００６】
本発明は、上記に鑑みてなされたものであって、Ｗｅｂコンテンツを構成する特定の記事項目に関連した番組コンテンツを、この記事項目について言及した位置から再生させることが可能な録画再生装置及び方法を提供することを目的とする。
【課題を解決するための手段】
【０００７】
実施の形態の録画再生装置は、番組録画手段と、番組キーワード抽出手段と、管理手段と、Ｗｅｂコンテンツ取得手段と、Ｗｅｂキーワード抽出手段と、判定手段と、表示制御手段と、を備えている。番組録画手段は、放送局から放送された番組コンテンツを、当該番組コンテンツの番組内容を表した番組固有情報とともに記憶装置に記憶する。番組キーワード抽出手段は、記憶装置に記憶された各番組コンテンツの番組固有情報に含まれた所定の文字列を、番組キーワードとして抽出する。管理手段は、番組キーワード抽出手段が抽出した番組キーワードを、当該番組キーワードの抽出元の番組コンテンツを識別する識別情報と、当該番組キーワードが前記番組コンテンツ内に出現する出現時間と関連付けて管理する。Ｗｅｂコンテンツ取得手段は、Ｗｅｂサーバにアクセスし、当該Ｗｅｂサーバから提供されたＷｅｂコンテンツを取得する。Ｗｅｂキーワード抽出手段は、Ｗｅｂコンテンツを構成する記事項目に含まれた所定の文字列を、Ｗｅｂキーワードとして抽出する。判定手段は、同一の前記識別情報で且つ同一の前記出現時間に関連付けられた各番組キーワード群を、同一の記事項目から抽出されたＷｅｂキーワード群と比較し、一致したキーワードに基づいて、当該記事項目に関連する関連番組が前記各番組キーワード群の出現時間に存在するか否かを判定する。表示制御手段は、関連番組が存在すると判定された出現時間を、当該出現時間の識別情報に対応する番組コンテンツの再生開始ポイントとした再生指示情報を生成し、この生成した再生指示情報を記事項目と関連付けて表示装置に表示させる。
【図面の簡単な説明】
【０００８】
【図１】図１は、第１の実施形態に係る録画再生装置の構成の一例を示すブロック図である。
【図２】図２は、図１に示したチューナ部の構成の一例を示すブロック図である。
【図３】図３は、図１の記憶装置に保持された関連番組テーブルの一例を示す図である。
【図４】図４は、Ｗｅｂコンテンツの一例を示す図である。
【図５】図５は、第１の実施形態に係るＷｅｂコンテンツの表示例を示す図である。
【図６】図６は、第１の実施形態に係るＷｅｂコンテンツの表示例を示す図である。
【図７】図７は、第１の実施形態に係る録画再生装置が実行する関連番組再生処理の手順を示すフローチャートである。
【図８】図８は、第１の実施形態の変形例１に係る選択画面の一例を示す図である。
【図９】図９は、第１の実施形態の変形例１に係る選択画面の一例を示す図である。
【図１０】図１０は、第１の実施形態の変形例１に係る選択画面の一例を示す図である。
【図１１】図１１は、第１の実施形態の変形例１に係る録画再生装置が実行する関連番組再生処理の手順を示すフローチャートである。
【図１２】図１２は、第１の実施形態の変形例２に係るＷｅｂコンテンツの表示例を示す図である。
【図１３】図１３は、第１の実施形態の変形例２に係る録画再生装置が実行する第１表記情報表示処理の手順を示すフローチャートである。
【図１４】図１４は、第２の実施形態に係るＷｅｂサーバの構成の一例を示すブロック図である。
【図１５】図１５は、第２の実施形態のＷｅｂサーバが提供するＷｅｂコンテンツの一例を示す図である。
【図１６】図１６は、第２の実施形態におけるＷｅｂコンテンツの表示例を示す図である。
【図１７】図１７は、第２の実施形態に係るＷｅｂサーバが実行するＷｅｂコンテンツ提供処理の手順を示すフローチャートである。
【発明を実施するための形態】
【０００９】
以下、添付図面を参照して、本発明に係る録画再生装置及び録画再生方法の実施形態を詳細に説明する。なお、本実施形態では、複数チャンネル番号の番組（コンテンツ）のコンテンツデータを同時録画することができるとともに、ビデオオンデマンドとしてサーバによるネットワークサービスで提供される番組を利用可能なＨＤＤレコーダやＨＤＤ＋ＤＶＤ（Digital  Versatile  Disc）レコーダ等の多チャンネル録画装置に適用した例を用いて説明するが、これに限定するものではない。例えば、複数チャンネル番号の番組のコンテンツデータを、内蔵するＨＤＤに同時録画することができる液晶ディスプレイやプラズマディスプレイ等を備えたテレビジョン受信装置にも適用することができる。
【００１０】
図１は、本実施形態に係る録画再生装置１００の構成の一例を示すブロック図である。同図に示すように、録画再生装置１００は、チューナ装置１０１、記憶装置１１１、ＥＰＧ処理部１１２（ＥＰＧ：Electronic  Program  Guide）、ＥＰＧメモリ１１３、ＭＰＥＧデコーダ１１４（ＭＰＥＧ：Moving  Picture  Experts  Group）、オンスクリーン表示部１１５、操作受付部１１６、録画再生制御部１１７、システムコントローラ１１８及びネットワークＩ／Ｆ１１９を備えて構成される。また、録画再生装置１００は、ネットワークＩ／Ｆ１１９を介して通信ネットワークＮＷと接続することで、通信ネットワークＮＷ上にあるＷｅｂサーバ４００が提供するネットワークサービスを利用可能である。
【００１１】
Ｗｅｂサーバ４００は、Ｗｅｂコンテンツの提供、検索サービスの提供、動画配信サービス等、種々のサービスの提供を行う。例えば、Ｗｅｂコンテンツの提供サービスでは、通信ネットワークＮＷを介して接続された情報機器からのアクセスに応じて、文字列や画像データ等を含んだＷｅｂコンテンツを提供するネットワークサービスを行う。また、検索サービスでは通信ネットワークＮＷを介して接続された情報機器からの検索キーワード及び検索要求に応じた検索結果を提供するネットワークサービスを行う。
【００１２】
チューナ装置１０１は、複数のチューナ部を用いて、ＨＤＤ等の記憶装置１１１に同時録画する番組のコンテンツデータが多重された複数チャンネル番号のトランスポートストリーム（ＴＳ）を受信するものである。チューナ装置１０１が受信するトランスポートストリームはワンセグ及びフルセグを含むものであってよい。本実施形態では、チューナ装置１０１は、Ｃｈ１〜ＣｈＮまでのＮ個のチャンネル番号を受信するチューナ部１０２〜１１０を備えている。そして、チューナ部１０２〜１１０から出力されたＣｈ１〜ＣｈＮのトランスポートストリームは、ＥＰＧ処理部１１２及び録画再生制御部１１７に送られる。
【００１３】
ここで、図２を参照して、本実施形態にかかるチューナ部１０２〜１１０の詳細な構成について説明する。図２は、チューナ部１０２の構成の一例を示すブロック図である。以下の説明では、チューナ部１０２の構成について説明するが、他のチューナ部（１０３〜１１０）についても同様である。図２に示すように、チューナ部１０２は、選局部２０１、分離部２０２、デスクランブラ２０３、分離部２０４、カードＩＤメモリ２０５及びＩＣカード２０６を備えて構成される。
【００１４】
アンテナ入力は、まず、選局部２０１で選局される。選局されたチャンネル番号のトランスポートストリームは、分離部２０２及びデスクランブラ２０３に入力される。分離部２０２は、トランスポートストリームに多重されている制御データＥＣＭ（Entitlement  Control  Message）を分離し、分離した制御データＥＣＭをＩＣカード２０６に入力する。分離部２０４は、トランスポートストリームに多重されている制御データＥＭＭ（Entitlement  Management  Message）の中から当該受信機に使用されるＩＣカード２０６向けのＥＭＭを分離しＩＣカード２０６に入力する。このＩＣカード２０６向けのＥＭＭを分離する際に、ＩＣカード２０６から出力され、カードＩＤメモリ２０５に設定されたＩＣカードに固有のカードＩＤを使用し、分離部２０４にて分離するものである。
【００１５】
ＩＣカード２０６は、入力された制御データＥＣＭ及び制御データＥＭＭを用いてスクランブル鍵を復号する。そして、デスクランブラ２０３は、ＩＣカード２０６で復号されたスクランブル鍵を用いて、トランスポートストリームに多重されているコンテンツデータをデスクランブルして出力する。なお、本実施形態では、ＩＣカード２０６がそれぞれチューナ部に備えられているが、複数のチューナ部が１つのＩＣカードを兼用することもできる。
【００１６】
図１に戻り、記憶装置１１１は、例えばＨＤＤ等の記憶媒体であって、録画再生制御部１１７の制御の下、録画の対象となったコンテンツデータを記憶（録画）する。以下、録画対象及び録画済みのコンテンツデータを番組コンテンツという。なお、トランスポートストリームに、その番組内容を時系列的に記録した字幕情報が多重化されている場合には、この字幕情報もコンテンツデータとともに番組コンテンツとして記憶する。
【００１７】
また、記憶装置１１１は、各番組コンテンツから抽出された後述する番組キーワードの格納先となる関連番組テーブル１１１ａを保持している。
【００１８】
ＥＰＧ処理部１１２は、チューナ部１０２〜１１０から出力されたＣｈ１〜ＣｈＮのトランスポートストリームから、各チャンネル番号の各時間帯の番組を示したＰＳＩ／ＳＩ（番組特定情報／番組配列情報）であるＥＰＧ情報を抽出し、ＥＰＧメモリ１１３に格納する。なお、ＥＰＧ情報には、番組の番組名、番組の放送日時、チャンネル番号、放送内容等、各番組に固有の情報が含まれているものとする。
【００１９】
本実施形態では、日本の地上デジタル放送のようにＣｈ１〜ＣｈＮの各トランスポートストリームから各チャンネル番号のＥＰＧ情報を抽出する例について説明するが、これに限定するものではない。例えばＢＳ（Broadcasting  Satellite）デジタル放送のように各チャンネル番号にＢＳ全チャンネル番号のＥＰＧ情報が多重されて提供されている場合もある。
【００２０】
また、ＥＰＧ処理部１１２は、リモコン３００が備える番組表ボタン等の押下に応じて、ＥＰＧメモリ１１３に格納されているＥＰＧ情報を取得し、取得したＥＰＧ情報をチャンネル番号毎に時系列に並べた番組表の番組表データをオンスクリーン表示部１１５に供給してＴＶに番組表を表示する。なお、ＥＰＧ処理部１１２は、ＥＰＧメモリ１１３に格納されているＥＰＧ情報を常に新しい内容に更新するために、Ｃｈ１〜ＣｈＮのトランスポートストリームからＥＰＧ情報を抽出し、抽出したＥＰＧ情報によりＥＰＧメモリ１１３に格納されているＥＰＧ情報を更新するものとする。
【００２１】
ＭＰＥＧデコーダ１１４は、録画再生制御部１１７から出力された番組コンテンツにＭＰＥＧ２デコード処理を施し、オンスクリーン表示部１１５に入力する。
【００２２】
オンスクリーン表示部１１５は、ＥＰＧ処理部１１２から供給された番組表データ、ＭＰＥＧデコーダ１１４により入力された番組コンテンツ、後述するＷｅｂブラウザ部１１８ｃから供給されたＷｅｂコンテンツ等をテレビジョン信号（ＴＶ信号）として、ＴＶに供給する。これにより、ＴＶは、番組表データの表示や、番組コンテンツの表示、Ｗｅｂコンテンツの表示を行うことが可能となる。
【００２３】
操作受付部１１６は、リモコン３００から赤外線等により送信される信号を受信するリモコン受信部１１６ａと、ポインティングデバイスやキーボード等の入力デバイス３０１から有線や無線により送信される信号を受信する入力デバイス受信部１１６ｂとを備える。リモコン３００は、ユーザの操作を受け付け、その操作に対応した信号を赤外線や無線により送信する。入力デバイス３０１は、ユーザの操作を受け付け、その操作に対応した信号を有線又は無線通信により送信する。すなわち、録画再生装置１００は、リモコン３００や入力デバイス３０１によりユーザの操作を受け付ける構成である。
【００２４】
録画再生制御部１１７は、Ｃｈ１〜ＣｈＮのトランスポートストリームに多重されているコンテンツデータに関する所定の処理を実行する。本実施形態では、録画再生制御部１１７は、システムコントローラ１１８からの制御信号に応じて、チューナ部１０２〜１１０から受信したトランスポートストリームに多重されているコンテンツデータ、又は記憶装置１１１に録画されている番組コンテンツを選択して、ＭＰＥＧデコーダ１１４に出力する再生処理を実行する。
【００２５】
また、録画再生制御部１１７は、トランスポートストリームから録画対象のコンテンツデータの記憶装置１１１への記憶（録画）処理を実行する。この録画再生制御部１１７における録画処理は、システムコントローラ１１８から出力される録画のための制御信号に従って行われる。
【００２６】
システムコントローラ１１８は、録画再生装置１００全体の処理を制御する。具体的には、システムコントローラ１１８は、マイクロコントローラや、ＣＰＵ（Central  Processing  Unit）、ＲＯＭ（Read  Only  Memory）、ＲＡＭ（Random  Access  Memory）等を有する制御回路である。
【００２７】
システムコントローラ１１８は、マイクロコントローラやＣＰＵがＲＯＭ等に格納されたプログラムをＲＡＭに展開して順次実行することで、録画再生制御部１１７への制御信号の出力処理や、後述する関連情報の再生に係る各種の処理等を行う。
【００２８】
また、システムコントローラ１１８は、上述したプログラムを実行することで、録画番組判定部１１８ａ、録画番組設定部１１８ｂ、Ｗｅｂブラウザ部１１８ｃ、番組キーワード抽出部１１８ｄ、Ｗｅｂキーワード抽出部１１８ｅ、関連番組判定部１１８ｆ及び関連番組再生制御部１１８ｇの機能を提供する。
【００２９】
録画番組判定部１１８ａは、ＥＰＧメモリ１１３に格納されたＥＰＧ情報と、リモコン３００や入力デバイス３０１を介して設定された録画対象の番組の番組情報（放送日時及びチャンネル番号）とに基づき、チューナ装置１０１で受信する複数チャンネル番号の中の各々の番組について、記憶装置１１１に録画する番組であるか否かを判定する。録画番組設定部１１８ｂは、録画番組判定部１１８ａによる判定結果をもとに、録画再生制御部１１７が記憶装置１１１に録画する番組の設定を行う。この録画番組設定部１１８ｂの設定結果をもとに、録画のための制御信号をシステムコントローラ１１８は録画再生制御部１１７に出力する。
【００３０】
Ｗｅｂブラウザ部１１８ｃは、ネットワークＩ／Ｆ１１９を通じて、ユーザ操作で指示されたＷｅｂサイト（Ｗｅｂサーバ４００）にアクセスし、Ｗｅｂサーバ４００から提供されたＷｅｂコンテンツをオンスクリーン表示部１１５に供給することでＴＶへの表示を行う。また、Ｗｅｂブラウザ部１１８ｃは、関連番組判定部１１８ｆと協働することで、後述する再生指示情報をＷｅｂコンテンツとともに表示する。
【００３１】
番組キーワード抽出部１１８ｄは、記憶装置１１１に新たな番組コンテンツが記憶される毎に、その番組コンテンツのＥＰＧ情報や字幕情報（以下、ＥＰＧ情報及び字幕情報を総称して番組固有情報という）を解析し、この番組固有情報に含まれた単語や形態素等の文字列を番組キーワードとして抽出する。また、番組キーワード抽出部１１８ｄは、抽出した番組キーワードを、当該番組キーワードが番組コンテンツ中に出現する出現時間と、その番組コンテンツが放送された放送日及びチャンネル番号とを関連付け、記憶装置１１１に保持された関連番組テーブル１１１ａに格納する。
【００３２】
ここで、“出現時間”とは、番組コンテンツ内において、その番組キーワードが出現する時間を意味する。例えば、字幕情報では、再生時間（放送時間）とともに字幕内容（文字列）が変化するよう定められているため、同一の番組コンテンツにおいても、番組キーワードによっては出現時間が異なる場合がある。なお、出現タイミングが定められていない番組コンテンツ全体に亘る文字列（例えば、番組タイトル等）から抽出された番組キーワードについては、その番組コンテンツの再生開始位置（放送開始位置）が出現時間として関連付けられるものとする。また、出現時間は、番組コンテンツが実際に放送された際の放送時間を基準に表してもよいし、番組コンテンツの先頭を“０”とし、この位置からの経過時間で表してもよい。
【００３３】
図３は、関連番組テーブル１１１ａの一例を示す図である。同図に示すように、関連番組テーブル１１１ａは、番組キーワードと、その番組キーワードの抽出元となった番組コンテンツの放送日、出現時間及びチャンネル番号とを関連付けて管理する。なお、図３では、番組キーワードの出現時間を、その番組キーワードの番組コンテンツが実際に放送された際の放送時間で表している。また、図３では、出現時間と放送日とを併せて“放送日時”と表記しており、この放送日時とチャンネル番号とにより各番組コンテンツを識別することが可能となる。つまり、本実施形態では、放送日時及びチャンネル番号が、各番組コンテンツを識別する識別情報として機能する。
【００３４】
図３に示す関連番組テーブル１１１ａにおいて、番組キーワード“鹿児島”は、２０１０年２月１０日１８時１３分に１ｃｈで放送された番組（番組コンテンツ）の番組固有情報と、２０１０年２月１１日２０時３０分に５ｃｈで放送された番組コンテンツの番組固有情報とから抽出されたことを示している。また、番組キーワード“熊本”は、２０１０年２月１０日１８時１３分に１ｃｈで放送された番組コンテンツの番組固有情報と、２０１０年２月１１日０７時４０分に６ｃｈで放送された番組コンテンツの番組固有情報とから抽出されたことを示している。また、番組キーワード“積雪”は、２０１０年２月１０日１８時１３分に１ｃｈで放送された番組コンテンツの番組固有情報から抽出されたことを示している。
【００３５】
図１に戻り、Ｗｅｂキーワード抽出部１１８ｅは、Ｗｅｂサーバ４００から提供されたＷｅｂコンテンツを解析し、このＷｅｂコンテンツに含まれた記事項目から単語や形態素等の文字列をＷｅｂキーワードとして抽出する。ここで、“記事項目”とは、所定の事柄を文章で表したものを意味し、例えば、ニュース記事等が該当する。なお、記事項目に他のＷｅｂコンテンツがリンクされている場合には、このリンク先の他のＷｅｂコンテンツをＷｅｂキーワードの抽出対象に含める形態としてもよい。
【００３６】
具体的に、Ｗｅｂキーワード抽出部１１８ｅは、Ｗｅｂサーバ４００から提供されたＷｅｂコンテンツを構成する記事項目のうち、リモコン３００や入力デバイス３０１を介して特定の記事項目が選択されると、この選択された記事項目からＷｅｂキーワードを抽出する。
【００３７】
ここで、図４は、Ｗｅｂコンテンツの一例を示す図である。図４のＷｅｂコンテンツは、記事項目Ａ１１〜Ａ１８を含んで構成されている。同図において、例えば、リモコン３００や入力デバイス３０１を介し記事項目Ａ１１（鹿児島と熊本で４年ぶりの積雪）が選択されると、Ｗｅｂキーワード抽出部１１８ｅは、この記事項目Ａ１１から“鹿児島”、“熊本”、“積雪”、“４年ぶり”等の文字列を、Ｗｅｂキーワードとして抽出する。なお、記事項目Ａ１１に記事の詳細内容を提示するページへのリンクされている場合には、このリンク先ページの記事の詳細内容をＷｅｂキーワードの抽出対象に含める形態としてもよい。
【００３８】
図１に戻り、関連番組判定部１１８ｆは、関連番組テーブル１１１ａを参照し、同一のチャンネル番号及び放送日時（放送日及び出現時間）から抽出された各番組キーワード群を、同一の記事項目から抽出されたＷｅｂキーワード群と夫々比較し、一致したキーワードに基づいて、その記事項目に関連（言及）した番組内容が各番組キーワード群の放送日時に存在するか否かを判定する。以下、特定の記事項目に言及した番組内容を“関連番組”という。
【００３９】
関連番組が存在するか否かの判定は種々の方法を用いることが可能であるが、例えば、以下に示す三つの判定方法を用いることが可能である。
【００４０】
第１の判定方法として、同一のチャンネル番号及び放送日時から抽出された各番組キーワード群を、同一の記事項目から抽出されたＷｅｂキーワード群と夫々比較し、Ｗｅｂキーワード群との一致数（又は一致率）が所定値以上となった場合に、その番組キーワード群の放送日時に関連番組が存在すると判定する方法が挙げられる。この判定方法を用いる場合、例えば、図４の項目Ａ１１から抽出したＷｅｂキーワード群（鹿児島、熊本、積雪、４年ぶり）と、図３に示した各番組コンテンツの番組キーワード群との比較時において、一致数が３以上と設定されていたとすると、２０１０年２月１０日１８時１３分に１ｃｈで放送された番組コンテンツでは“鹿児島”、“熊本”及び“積雪”の３つの番組キーワードがＷｅｂキーワード群と一致するため、関連番組判定部１１８ｆは、２０１０年２月１０日１８時１３分に１ｃｈで放送された番組コンテンツを関連番組と判定する。
【００４１】
第２の判定方法として、Ｗｅｂキーワードに対する重要度（ウェイト）をユーザが指定できるようにしておき、その重要度が所定値以上のＷｅｂキーワードを、同一のチャンネル番号及び放送日時から抽出された何れかの番組キーワード群が含まれる場合に、その番組キーワード群の放送日時に関連番組が存在すると判定する方法が挙げられる。この判定方法を用いる場合、例えば、図４の項目Ａ１１から抽出されたＷｅｂキーワード群（鹿児島、熊本、積雪、４年ぶり）のうち、重要度が所定値以上のＷｅｂキーワードとして“鹿児島”及び“積雪”が設定されていたとすると、関連番組判定部１１８ｆは、図３に示した各番組コンテンツの中から、２０１０年２月１０日１８時１３分に１ｃｈで放送された番組コンテンツ、及び、２０１０年２月１１日２０時３０分に５ｃｈで放送された番組コンテンツを関連番組と判定する。
【００４２】
第３の判定方法として、Ｗｅｂキーワードに対する重要度（ウェイト）をユーザが指定できるようにしておき、同一のチャンネル番号及び放送日時から抽出された番組キーワード群と、同一の記事項目から抽出されたＷｅｂキーワード群との比較時において、Ｗｅｂキーワードに一致する毎にそのウェイトを積算する。そして、ウェイトの総得点が所定値を上回った番組キーワード群の放送日時に関連番組が存在すると判定する方法が挙げられる。この判定方法を用いる場合、例えば、図４の項目Ａ１１から抽出されたＷｅｂキーワード群（鹿児島、熊本、積雪、４年ぶり）の夫々に対し、重要度“５”、“５”、“１０”、“３”が設定されており、総得点が“１５”以上に設定されていたとすると、関連番組判定部１１８ｆは、図３に示した各番組コンテンツの中から、総得点が“１５”となる２０１０年２月１０日１８時１３分に１ｃｈで放送された番組コンテンツを関連番組と判定する。
【００４３】
また、関連番組判定部１１８ｆは、関連番組が存在すると判定した放送日時の出現時間を、この放送日時及びチャンネル番号で特定される番組コンテンツの再生開始ポイントとした再生指示情報を生成する。同一の番組コンテンツにおいて、関連番組と判定された出現時間が複数存在するような場合には、各出現時間に再生開始ポイントを設定する。そして、関連番組判定部１１８ｆは、Ｗｅｂブラウザ部１１８ｃと協働することで、生成した再生指示情報をメニュー記事項目や選択ボタン等の形態で、ＷｅｂコンテンツとともにＴＶに表示させる。
【００４４】
なお、以下の説明において本実施形態の関連番組判定部１１８ｆでは、番組コンテンツの同一性に関わらず、関連番組（出現時間）が複数存在すると判定した場合には、何れか一つ選択することで、再生開始ポイントを一つに絞り込むものとする。なお、再生開始ポイントの絞り込み方法は特に問わず、例えば、Ｗｅｂキーワードとの一致数（一致率）やウェイト総数から最も関連性が高いと判定した番組キーワード群の放送日時（出現時間）を一つ選択する形態としてもよい。また、放送日時が最も古い（又は新しい）ものを一つ選択してもよいし、一の放送日時をランダムに選択する形態としてもよい。
【００４５】
図５は、ＴＶに表示されたＷｅｂコンテンツの一例を示す図であって、図４に対応している。この図５では、Ｗｅｂコンテンツでの操作方法として、マウス等のポインティングデバイスを利用した場合を想定している。同図において、特定の記事項目（記事項目Ａ１１）にポインタＰが置かれた状態で、この記事項目に対する操作メニューの表示がユーザから指示されると（例えば、マウスの右クリック）、Ｗｅｂブラウザ部１１８ｃは、記事項目Ａ１１のリンク先の表示や印刷を指示する操作メニューとともに、この記事項目Ａ１１の関連番組の再生を指示する操作メニュー（関連番組を再生）として、再生指示情報Ｂ１１を表示する。ここで、再生指示情報Ｂ１１の表示内容としては、再生開始ポイントの日時情報やチャンネル番号等の情報は含まれていないが、関連番組の再生を指示する操作がなされた場合には、この再生指示情報Ｂ１１に設定された再生開始ポイントの日時情報等を使用して再生が行われる。
【００４６】
なお、再生指示情報の表示形態は、図５の例に限らず、他の表示形態を用いてもよい。例えば、Ｗｅｂコンテンツでの操作方法として、リモコンに設けられたボタン（上下左右の矢印ボタンや確定ボタン等）を利用する場合には、図６に示す表示形態を用いてもよい。この表示形態では、リモコンの上下左右の矢印ボタンにより特定の記事項目（記事項目Ａ１１）が選択され、決定ボタンの押下を受け付けると、Ｗｅｂブラウザ部１１８ｃは、表示画面の記録（保存）や、記事項目Ａ１１のリンク先の表示、Ｗｅｂコンテンツの表示終了を指示する操作メニューとともに、この記事項目Ａ１１の関連番組の再生を指示する操作メニュー（関連番組を再生）として、再生指示情報Ｂ１２を表示する。この再生指示情報Ｂ１２の表示内容としては、再生開始ポイントの日時情報やチャンネル番号等の情報は含まれていないが、関連番組の再生を指示する操作がなされた場合には、この再生指示情報Ｂ１２に設定された再生開始ポイントの日時情報等を使用して再生が行われる。
【００４７】
図１に戻り、関連番組再生制御部１１８ｇは、図５のＢ１１や図６のＢ１２のようなＴＶに表示された再生指示情報が、リモコン３００や入力デバイス３０１を介して選択された場合に、この再生指示情報に設定された再生開始ポイントから、対応する関連番組を再生させる制御信号を録画再生制御部１１７に出力することで、録画再生制御部１１７に関連番組の再生を開始させる。
【００４８】
次に、上記構成の録画再生装置１００において、関連番組の再生が行われるまでの動作について説明する。図７は、本実施形態の録画再生装置１００（システムコントローラ１１８）が実行する関連番組再生処理の手順を示すフローチャートである。なお、本処理の前提として、Ｗｅｂサーバ４００から提供されたＷｅｂコンテンツがＴＶに表示されているものとする。また、番組キーワード抽出部１１８ｄにより抽出された番組キーワードが、関連番組テーブル１１１ａに登録されているものとする。
【００４９】
まず、リモコン３００又は入力デバイス３０１を介して、Ｗｅｂコンテンツ中の特定の記事項目が選択され、右クリックや決定ボタンの押下等によりこの記事項目に関連するメニュー表示の指示を受け付けると（ステップＳ１１）、Ｗｅｂキーワード抽出部１１８ｅは、この選択された記事項目からＷｅｂキーワードを抽出する（ステップＳ１２）。
【００５０】
続いて、関連番組判定部１１８ｆは、関連番組テーブル１１１ａを参照し、同一のチャンネル番号及び放送時間から抽出された各番組キーワード群と、ステップＳ１２で抽出されたＷｅｂキーワード群とを比較し（ステップＳ１３）、一致したキーワードに基づいて、選択された記事項目についての関連番組が存在するか否かを判定する（ステップＳ１４）。ここで、関連番組が存在しないと判定した場合（ステップＳ１４；Ｎｏ）、関連番組判定部１１８ｆは、Ｗｅｂブラウザ部１１８ｃと協働することで、再生指示情報を非表示（又は薄消し表示）とした操作メニューを表示し（ステップＳ１５）、本処理を終了する。
【００５１】
一方、ステップＳ１４において、関連番組が存在すると判定した場合（ステップＳ１４；Ｙｅｓ）、関連番組判定部１１８ｆは、Ｗｅｂブラウザ部１１８ｃと協働することで、図５や図６に示したように、この関連番組の再生指示情報を明示した操作メニューを表示する（ステップＳ１６）。
【００５２】
そして、ステップＳ１６で表示された操作メニューから再生指示情報が選択されると（ステップＳ１７；Ｙｅｓ）、関連番組再生制御部１１８ｇは、この再生指示情報に指示された再生開始ポイントから、対応する番組コンテンツの再生を開始させる制御信号を録画再生制御部１１７に出力することで、関連番組の再生を開始させ（ステップＳ１８）、本処理を終了する。
【００５３】
なお、再生指示情報以外の操作メニューが選択された場合（ステップＳ１７；Ｎｏ）、システムコントローラ１１８は、本処理を直ちに終了し、選択された操作メニューに応じた処理を実行するものとする。
【００５４】
以上のように、第１の実施形態の録画再生装置１００では、関連番組テーブル１１１ａにおいて、同一のチャンネル番号及び放送時間に関連付けられた各番組キーワード群を、同一の記事項目から抽出されたＷｅｂキーワード群と比較し、一致したキーワードに基づいて、当該記事項目に関連する関連番組が各番組キーワード群の放送時間に存在するか否かを判定し、関連番組が存在すると判定された放送時間（出現時間）を、当該出現時間の識別情報に対応する番組コンテンツの再生開始ポイントとした再生指示情報を生成し、選択された記事項目と関連付けてＷｅｂコンテンツとともにＴＶに表示する。これにより、第１の実施形態の録画再生装置１００を操作するユーザは、リモコン３００又は入力デバイス３０１を介して再生指示情報を選択することで、該当する番組コンテンツを再生開始ポイントから再生させることができるため、選択した記事項目に言及した関連番組（番組内容）を容易に視聴することが可能となる。
【００５５】
［変形例１］
上記実施形態では、一の記事項目に対する関連番組（放送時間）を一つのみ設定することとしたが、これに限らず、関連番組が複数存在する場合には、これら複数の関連番組を選択可能に提示することで、ユーザが選択できるよう構成する形態としてもよい。以下、この形態を本実施形態の変形例１として説明する。
【００５６】
本変形例において、関連番組判定部１１８ｆは、関連番組有りと判定した各番組キーワード群の放送日時について、その放送日時の出現時間を、対応する番組コンテンツの再生開始ポイントとすることを指示した再生指示情報を生成する。そして、関連番組判定部１１８ｆは、Ｗｅｂブラウザ部１１８ｃと協働することで、生成した再生指示情報をメニュー記事項目や選択ボタン等の形態で、ＷｅｂコンテンツとともにＴＶに表示させる。
【００５７】
また、本変形例の関連番組再生制御部１１８ｇは、図５のＢ１１や図６のＢ１２のような再生指示情報の選択を受け付けると、この再生指示情報に複数の再生開始ポイント（関連番組）が含まれているか否かを判定し、複数存在すると判定した場合に、複数の関連番組から何れか一の関連番組を選択することが可能な選択画面をＴＶに表示させる。
【００５８】
図８は、選択画面の一例を示す図である。同図では、ユーザが選択した特定の記事項目（図５の記事項目Ａ１１）の関連番組として、３つの関連番組が選択可能に表示された例を示している。ここで、“番組キーワード”には、各関連番組の番組キーワードが表示される。また、各関連番組の番組固有情報を参照することで、他の情報を選択画面に含めて表示する形態としてもよい。ここで、図９は、番組固有情報（ＥＰＧ情報）に含まれた各関連番組の“番組名”及び“ジャンル”を、選択画面に含めて表示した例を示す図である。
【００５９】
ここで、選択画面に表示される“番組キーワード”は、ユーザが関連番組を選択する際の判断材料となる。そこで、関連番組判定部１１８ｆによる関連番組か否かの判定結果を用いて、選択された記事項目のＷｅｂキーワード群と各関連番組の番組キーワード群との間で一致したキーワードを選択画面に表示するよう制御することで、各関連番組の記事項目との関連性をより直感的に把握させることが可能となる。
【００６０】
例えば、図１０に示すように、選択画面として記事項目のＷｅｂキーワード群と、各関連番組の番組キーワード群との間で一致したキーワード（一致キーワード）を、一致キーワード以外の番組キーワードとともに区分けして表示することで、各番組の特徴をより容易に把握しやすくすることができる。ここで、図１０は、選択画面の他の形態を示す図であって、Ｗｅｂコンテンツのある記事項目から「オリンピック、山田、５００ｍ、銅メダル」といったＷｅｂキーワードを抽出した例を示している。この例の場合、その記事項目と一致数（一致度）が多い（高い）のは２０１０年２月１５日１８時２分に４ｃｈで放送されたニュース番組であるが、ユーザがレースそのものを見たい場合には、一致キーワード以外の番組キーワードを参照し、「１０組、発送」といったものを指標とすることで、その時刻付近でレースの発送があったことを把握することができ、レースそのものを見る場合の再生開始ポイントの参考となりうる。
【００６１】
また、関連番組再生制御部１１８ｇは、選択画面に表示された複数の関連番組から再生対象となる一の関連番組の選択を受け付けると、この関連番組に設定された再生開始ポイントから、対応する番組コンテンツを再生させる制御信号を録画再生制御部１１７に出力することで、録画再生制御部１１７に関連番組の再生を開始させる。
【００６２】
次に、本変形例の録画再生装置１００において、関連番組の再生が行われるまでの動作について説明する。図１１は、本変形例の録画再生装置１００（システムコントローラ１１８）が実行する関連番組再生処理の手順を示すフローチャートである。なお、ステップＳ２１〜Ｓ２７は、図７のステップＳ１１〜Ｓ１７と同様の処理内容であるため説明を省略する。
【００６３】
操作メニューから再生指示情報が選択されると（ステップＳ２７；Ｙｅｓ）、関連番組再生制御部１１８ｇは、この再生指示情報に複数の関連番組（再生開始ポイント）が含まれているか否かを判定する（ステップＳ２８）。ここで、関連番組が一つのみと判定した場合（ステップＳ２８；Ｎｏ）、関連番組再生制御部１１８ｇは、この関連番組の再生開始ポイントから、対応する番組コンテンツを再生させる制御信号を録画再生制御部１１７に出力することで、録画再生制御部１１７に関連番組の再生を開始させ（ステップＳ２９）、本処理を終了する。
【００６４】
一方、ステップＳ２８において、関連番組が複数存在すると判定した場合（ステップＳ２８；Ｙｅｓ）、関連番組再生制御部１１８ｇは、これら関連番組の選択画面をＴＶに表示させ（ステップＳ３０）、一の関連番組が選択されるまで待機する（ステップＳ３１；Ｎｏ）。
【００６５】
選択画面から一の関連番組の選択を受け付けると（ステップＳ３１；Ｙｅｓ）、システムコントローラ１１８は、選択された関連番組の再生開始ポイントから、対応する番組コンテンツを再生させる制御信号を録画再生制御部１１７に出力することで、録画再生制御部１１７に関連番組の再生を開始させ（ステップＳ３２）、本処理を終了する。
【００６６】
以上のように、変形例１の録画再生装置１００では、選択された再生指示情報に複数の関連番組（出現時間）が含まれていた場合に、これら複数の関連番組から何れか一の関連番組を選択可能な選択画面をＴＶに表示させ、この選択画面から選択された関連番組の番組コンテンツを再生の対象に設定する。これにより、変形例１の録画再生装置１００を操作するユーザは、選択した記事項目に複数の関連番組が存在する場合に、選択画面から視聴を所望する一の関連番組を選択することで、その関連番組（番組内容）の視聴を開始することができるため、関連番組（番組コンテンツ）の視聴に係るユーザの利便性を向上させることができる。
【００６７】
［変形例２］
上記実施形態では、Ｗｅｂコンテンツからユーザが選択した記事項目についてのみＷｅｂキーワードを抽出する形態としたが、これに限らず、選択された記事項目以外の記事項目についてもＷｅｂキーワードを抽出する形態としてもよい。以下、この形態を本実施形態の変形例２として説明する。
【００６８】
本変形例において、Ｗｅｂキーワード抽出部１１８ｅは、Ｗｅｂコンテンツを構成する全て又は一部の記事項目からＷｅｂキーワードを抽出する。ここで、抽出対象とする記事項目は任意に設定できるものとする。例えば、Ｗｅｂコンテンツ内の特定の領域に含まれる記事項目を抽出対象とする形態としてもよいし、特定のＨＴＭＬタグで表された記事項目を抽出対象とする形態としてもよい。なお、本変形例では、Ｗｅｂコンテンツを構成する全ての記事項目からＷｅｂキーワードの抽出を行う形態について説明する。
【００６９】
また、関連番組判定部１１８ｆは、関連番組テーブル１１１ａを参照し、同一のチャンネル番号及び放送時間から抽出された各番組キーワード群と、同一の記事項目から抽出されたＷｅｂキーワード群とを夫々比較することで、各記事項目に関連番組が存在するか否かを判定する。なお、関連番組か否かの判定方法は、上述した第１〜第３の判定方法を用いるものとする。
【００７０】
また、関連番組判定部１１８ｆは、Ｗｅｂブラウザ部１１８ｃと協働することで、図１２に示すように、関連番組“有り”と判定した記事項目に関連付けて、関連番組の再生が可能であることを表した第１表記情報Ｃ１（アイコン画像）を表示させる。すなわち図１２において第１表記情報Ｃ１以外の情報はＷｅｂコンテンツとしてＷｅｂサーバから提供された情報であり、このＷｅｂコンテンツに第１表記情報Ｃ１（アイコン画像）をあわせて表示しているものである。ここで、図１２は、ＴＶに表示されるＷｅｂコンテンツの一例を示す図であって、図４のＷｅｂコンテンツに対応している。
【００７１】
このように、本変形例の関連番組判定部１１８ｆは、Ｗｅｂコンテンツを構成する記事項目のうち、関連番組“有り”と判定した記事項目に関連付けて、第１表記情報を表示させるため、録画再生装置１００のユーザは、どの記事項目に関連番組が存在するか否かを容易に把握することができる。この場合の関連番組の再生に関しては図５から図１１を試用して説明した通りであり、例えばマウス等のポインティングデバイスを第１表記情報Ｃ１が表示されている特定の記事項目（記事項目Ａ１１）にポインタＰが置かれた状態で、この記事項目に対する操作メニューの表示がユーザから指示されると（例えば、マウスの右クリック）、再生指示情報が表示され、ユーザから関連番組の再生指示ができるものである。
【００７２】
あるいは、第１表記情報を、上述した再生指示情報として表示する形態としてもよい。この場合、関連番組判定部１１８ｆは、第１表記情報となるアイコン画像に、対応する記事項目の関連番組の再生開始ポイントを関連付けて設定することで、何れかの一の第１表記情報（アイコン画像）が選択された場合に、アイコン画像に対応する記事項目についての関連番組を、再生開始ポイントから再生させることが可能となる。
【００７３】
次に、本変形例の録画再生装置１００において、関連番組の再生が行われるまでの動作について説明する。図１３は、本変形例の録画再生装置１００（システムコントローラ１１８）が実行する第１表記情報表示処理の手順を示すフローチャートである。なお、本処理の前提として、ＴＶにはＷｅｂサーバ４００から提供されたＷｅｂコンテンツが表示されているものとする。また、番組キーワード抽出部１１８ｄは、記憶装置１１１に記憶された各コンテンツ（番組）に対し、番組キーワードの抽出を既に行っているものとする。
【００７４】
まず、Ｗｅｂキーワード抽出部１１８ｅは、Ｗｅｂコンテンツを構成する記事項目毎にＷｅｂキーワードを抽出する（ステップＳ４１）。続いて、関連番組判定部１１８ｆは、関連番組テーブル１１１ａを参照し、同一のチャンネル番号及び放送時間から抽出された各番組キーワード群と、同一の記事項目から抽出されたＷｅｂキーワード群とを夫々比較し、この記事項目に関連番組が存在するか否かを判定する（ステップＳ４２）。
【００７５】
次いで、関連番組判定部１１８ｆは、Ｗｅｂコンテンツを構成する全ての記事項目にステップＳ４１、Ｓ４２の処理を施したかを判定し、未処理の記事項目が存在する場合には（ステップＳ４３；Ｎｏ）、ステップＳ４１に再び戻り、未処理の記事項目からＷｅｂキーワードを抽出する。
【００７６】
一方、ステップＳ４３でＷｅｂコンテンツを構成する全ての記事項目にステップＳ４１、Ｓ４２の処理を施したと判定した場合（ステップＳ４３；Ｙｅｓ）、関連番組判定部１１８ｆは、ステップＳ４２の判定で関連番組有りと判定した各記事項目に関連付けて第１表記情報（アイコン画像）を表示させ（ステップＳ４４）、本処理を終了する。
【００７７】
以上のように、変形例２の録画再生装置１００では、Ｗｅｂコンテンツを構成する全て又は一部の記事項目からＷｅｂキーワードを抽出し、関連番組有無の判定の結果、関連番組有りと判定された記事項目に対し、関連番組の再生が可能であることを表した第１表記情報を関連付け、ＷｅｂコンテンツとともにＴＶに表示する。これにより、変形例２の録画再生装置１００を操作するユーザは、Ｗｅｂコンテンツを参照することで、どの記事項目に関連番組が存在するか否かを容易に把握することができるため、関連番組（番組コンテンツ）の視聴に係るユーザの利便性を向上させることができる。
【００７８】
なお、以上説明した［変形例２］では、一の記事項目に対する関連番組（放送時間）の数について言及することなく説明したが、関連番組“有り”と判定した記事項目の関連番組の再生指示があった場合に、一の記事項目に対する関連番組が一つのみ設定されており再生される形態であっても良いし、［変形例１］に示すように、関連番組が複数存在する場合には、これら複数の関連番組を選択可能に提示することで、ユーザが選択できるよう構成する形態としてもよい。
【００７９】
［第２の実施形態］
次に、第２の実施形態について説明する。本実施形態では、Ｗｅｂサーバ側において、Ｗｅｂコンテンツに含まれた各記事項目の関連番組の存在可能性を判定し、当該Ｗｅｂコンテンツとともに録画再生装置に提供する形態について説明する。なお、第１の実施形態と同様の構成要素については同じ符号を付与し、その説明を省略する。
【００８０】
図１４は、本実施形態に係るＷｅｂサーバ５００の構成の一例を示すブロック図である。同図に示すように、Ｗｅｂサーバ５００は、記憶装置５０１、システムコントローラ５０２及びネットワークＩ／Ｆ５０３を備えて構成される。また、Ｗｅｂサーバ５００は、ネットワークＩ／Ｆ５０３を介して通信ネットワークＮＷと接続することで、通信ネットワークＮＷ上の録画再生装置１００からのアクセスに応じて、Ｗｅｂコンテンツを提供する。
【００８１】
記憶装置５０１は、例えばＨＤＤ等の記憶媒体であって、Ｗｅｂコンテンツの提供に係る各種プログラムや設定情報等を記憶している。また、記憶装置５０１は、録画再生装置１００が録画することが可能な全てのチャンネル番号の全ての番組コンテンツについて、その番組固有情報の各々から抽出された番組キーワードを格納する関連番組テーブル５０１ａを記憶している。ここで、関連番組テーブル５０１ａは、上述した関連番組テーブル１１１ａと同様のデータ構成を有し、番組キーワードと放送日時とチャンネル番号とが関連付けて保持されている。
【００８２】
なお、関連番組テーブル５０１ａの取得方法は特に問わず、例えば、上述した第１の実施形態のように、後述するシステムコントローラ５０２が、各番組コンテンツの番組固有情報から番組キーワードを抽出することで関連番組テーブル５０１ａを生成する形態としてもよいし、外部装置から関連番組テーブル５０１ａ自体が提供される形態としてもよい。また、番組固有情報は、各番組コンテンツの著作権者から提供される形態としてもよいし、Ｗｅｂサーバ５００がチューナ装置を備えることで各番組コンテンツの番組固有情報を独自に取得する形態としてもよい。
【００８３】
システムコントローラ５０２は、Ｗｅｂサーバ５００全体の処理を制御する。具体的には、システムコントローラ５０２は、マイクロコントローラや、ＣＰＵ、ＲＯＭ、ＲＡＭ等を有する制御回路である。
【００８４】
システムコントローラ５０２は、マイクロコントローラやＣＰＵがＲＯＭ等に格納されたプログラムをＲＡＭに展開して順次実行することで、Ｗｅｂコンテンツの提供に係る処理等を行う。また、システムコントローラ５０２は、上述したプログラムを実行することで、Ｗｅｂコンテンツ提供部５０２ａ、Ｗｅｂキーワード抽出部５０２ｂ及び関連番組判定部５０２ｃの機能を提供する。
【００８５】
Ｗｅｂコンテンツ提供部５０２ａは、録画再生装置１００からのアクセスに応じて、この外部装置にＷｅｂコンテンツの提供（送信）を行う機能部である。なお、Ｗｅｂコンテンツは、Ｗｅｂサーバ５００内に記憶されている形態としてもよいし、他のＷｅｂサーバが提供するＷｅｂコンテンツを転送する形態としてもよい。
【００８６】
Ｗｅｂキーワード抽出部５０２ｂは、録画再生装置１００に提供を行うＷｅｂコンテンツを解析し、このＷｅｂコンテンツに含まれた各記事項目から単語や形態素等の文字列をＷｅｂキーワードとして抽出する。なお、Ｗｅｂキーワード抽出部５０２ｂは、第１の実施形態で説明したＷｅｂキーワード抽出部１１８ｅと同様の機能部である。
【００８７】
関連番組判定部５０２ｃは、関連番組テーブル１１１ａを参照し、同一のチャンネル番号及び放送日時から抽出された番組キーワード群と、同一の記事項目から抽出されたＷｅｂキーワード群とを夫々比較することで、各記事項目に言及した関連番組が存在するか否かを判定する。なお、関連番組判定部５０２ｃは、第１の実施形態で説明した関連番組判定部１１８ｆと同様の機能部であり、上述した三つの判定方法等を用いるものとする。
【００８８】
また、関連番組判定部５０２ｃは、Ｗｅｂコンテンツ提供部５０２ａと協働することで、関連番組“有り”と判定したＷｅｂコンテンツの各記事項目に関連付けて、その関連番組が録画再生装置１００に録画されている可能性があることを示す第２表記情報（アイコン画像等）を付加する。
【００８９】
図１５は、Ｗｅｂサーバ５００が提供するＷｅｂコンテンツの一例を示す図であって、図４のＷｅｂコンテンツに対応している。図１５では、Ｗｅｂコンテンツを構成する記事項目Ａ１１〜Ａ１８のうち、記事項目Ａ１１、Ａ１３、Ａ１４及びＡ１５に対し、これらの記事項目に言及した関連番組が録画再生装置１００に録画されている可能性があることを示す第２表記情報Ｄ１が付加されている。
【００９０】
一方、Ｗｅｂコンテンツを受信した録画再生装置１００では、このＷｅｂコンテンツをＴＶに表示する。そのため、録画再生装置１００のユーザは、Ｗｅｂコンテンツに付加された第２表記情報Ｄ１に基づき、この第２表記情報Ｄ１に対応する記事項目の関連番組が録画再生装置１００に録画されている可能性があることを認識することが可能となる。
【００９１】
このように、Ｗｅｂサーバ５００にて関連番組の有無を判定することで、Ｗｅｂサービス事業者側で、録画再生装置１００にて録画された関連番組の推定が可能となる。ここで、推定といっているのは、録画再生装置１００側の設定により、録画再生装置１００で受信可能な全てのチャンネル番号及び全ての番組コンテンツのうち、一部の番組コンテンツのみが録画されていたり、録画時間帯が特定の時間のみに限定したりすることが可能であるため、Ｗｅｂサーバ５００側での関連番組有無の判定結果と、録画再生装置１００側での関連番組有無の判定結果とが異なる場合があるからである。すなわち図１に示すチューナ装置１０１で、Ｃｈ１〜ＣｈＮまでのＮ個のチャンネル番号を受信するチューナ部１０２〜１１０を使用して、当該受信機が設置されている地域で受信可能な全てのチャンネルを受信し、全てのチャンネルの全放送時間を録画するように設定していない場合には、録画再生装置１００側で録画していない番組コンテンツが有り得るからである。
【００９２】
なお、本実施形態のＷｅｂサーバ５００を用いる場合、録画再生装置１００側では再生指示情報の表示機能を無効とする形態としてもよい。
【００９３】
また、Ｗｅｂコンテンツに付加された第２表記情報に基づき、この第２表記情報が付加された記事項目についてのみＷｅｂキーワードの抽出、関連番組有無の判定を行う形態としてもよい。なお、Ｗｅｂサーバ５００側での関連番組有無の判定結果と、録画再生装置１００側での関連番組有無の判定結果とが異なる場合には、録画再生装置１００での関連番組有無の判定結果に基づき、関連番組判定部１１８ｆにて第２表記情報の無効化又は削除等を行うことが好ましい。
【００９４】
また、録画再生装置１００において、上述した第１の実施形態の変形例２の構成を用いることで、図１６に示すように、Ｗｅｂサーバ５００により付加された第２表記情報Ｄ１と、第１表記情報Ｃ１とを併せて表示する形態としてもよい。この場合、第２表記情報と第１表記情報とを比較可能な状態で提示することができるため、ユーザの利便性を向上させることができる。この場合、第２表記情報が付加された記事項目についてのみ［第１の実施形態］の［変形例２］のように、Ｗｅｂキーワードの抽出、関連番組有無の判定を行い、関連番組“有り”と判定した記事項目に対し、第１表記情報を表示するものであり、［第１の実施形態］の［変形例２］のように、すべての記事項目について、録画再生装置１００でのＷｅｂキーワードの抽出、関連番組有無の判定を行う必要が無いというメリットがある。
【００９５】
次に、上記構成のＷｅｂサーバ５００において、Ｗｅｂコンテンツの提供が行われるまでの動作について説明する。図１７は、本実施形態のＷｅｂサーバ５００（システムコントローラ５０２）が実行するＷｅｂコンテンツ提供処理の手順を示すフローチャートである。なお、本処理の前提として、記憶装置５０１には関連番組テーブル５０１ａが既に記憶されているものとする。
【００９６】
まず、Ｗｅｂコンテンツ提供部５０２ａは、ネットワークＩ／Ｆ５０３を介し録画再生装置１００からアクセスを受け付けると（ステップＳ５１）、このアクセスにより要求されたＷｅｂコンテンツを、Ｗｅｂキーワードの抽出対象に設定する（ステップＳ５２）。次いで、Ｗｅｂキーワード抽出部１１８ｅは、抽出対象のＷｅｂコンテンツを構成する記事項目毎にＷｅｂキーワードを抽出（ステップＳ５３）する。
【００９７】
続いて、関連番組判定部５０２ｃは、関連番組テーブル５０１ａを参照し、同一のチャンネル番号及び放送時間から抽出された各番組キーワード群と、ステップＳ５３で同一の記事項目から抽出されたＷｅｂキーワード群とを夫々比較し、この記事項目に関連番組が存在するか否かを判定する（ステップＳ５４）。
【００９８】
次いで、関連番組判定部５０２ｃは、Ｗｅｂコンテンツを構成する全ての記事項目にステップＳ５３、Ｓ５４の処理を施したかを判定し、未処理の記事項目が存在する場合には（ステップＳ５５；Ｎｏ）、ステップＳ５３に再び戻り、未処理の記事項目からＷｅｂキーワードを抽出する。
【００９９】
一方、ステップＳ５５でＷｅｂコンテンツを構成する全ての記事項目にステップＳ５３、Ｓ５４の処理を施したと判定した場合（ステップＳ５５；Ｙｅｓ）、関連番組判定部５０２ｃは、ステップＳ５４の判定で関連番組有りと判定した各記事項目に関連付けて、第２表記情報（アイコン画像）を付加する（ステップＳ５６）。
【０１００】
そして、Ｗｅｂコンテンツ提供部５０２ａは、ステップＳ５６の処理が施されたＷｅｂコンテンツを、アクセス元の録画再生装置１００宛に送信し（ステップＳ５７）、本処理を終了する。
【０１０１】
以上のように、第２の実施形態の録画再生装置１００では、Ｗｅｂサーバ５００から第２表記情報が付加されたＷｅｂコンテンツを取得し、このＷｅｂコンテンツをＴＶに表示する。これにより、第２の実施形態の録画再生装置１００を操作するユーザは、Ｗｅｂコンテンツを構成する各記事項目の関連番組について、録画再生装置１００に録画されている可能性があることを、第２表記情報に基づいて容易に確認することができる。
【０１０２】
なお、本実施形態において、アクセス元の録画再生装置１００に固有の情報（プロファイル）をＷｅｂサーバ５００が取得することで、録画再生装置１００に適したＷｅｂコンテンツを提供することが可能となる。具体的には、Ｗｅｂサーバ５００のアクセス時に録画再生装置１００からプロファイルとして、受信地域、録画設定チャンネル番号、録画時間帯の一部若しくは全てをＷｅｂサーバ５００に提供することで、これらのプロファイルに応じたＷｅｂコンテンツを録画再生装置１００に提供することが可能となる。
【０１０３】
例えば、受信地域には地域性があるため、同じ番組であっても他の地域では放送時間やチャンネル番号（放送周波数）が異なる場合がある。そのため、関連番組の判定基準を地域毎に変えることで、録画再生装置１００が設置された受信地域に適した判定結果を導出することが可能となる。
【０１０４】
なお、本発明は上記実施形態そのままに限定されるものではなく、実施段階ではその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素からいくつかの構成要素を削除してもよい。さらに、異なる実施形態にわたる構成要素を適宜組み合わせてもよい。
【符号の説明】
【０１０５】
１００  録画再生装置
１０１  チューナ装置
１０２、１０３、１０５、１１０  チューナ部
１１１  記憶装置
１１１ａ  関連番組テーブル
１１２  ＥＰＧ処理部
１１３  ＥＰＧメモリ
１１４  ＭＰＥＧデコーダ
１１５  オンスクリーン表示部
１１６  操作受付部
１１６ａ  リモコン受信部
１１６ｂ  入力デバイス受信部
１１７  録画再生制御部
１１８  システムコントローラ
１１８ａ  録画番組判定部
１１８ｂ  録画番組設定部
１１８ｃ  Ｗｅｂブラウザ部
１１８ｄ  番組キーワード抽出部
１１８ｅ  Ｗｅｂキーワード抽出部
１１８ｆ  関連番組判定部
１１８ｇ  関連番組再生制御部
１１９  ネットワークＩ／Ｆ
２０１  選局部
２０２  分離部
２０３  デスクランブラ
２０４  分離部
２０５  カードＩＤメモリ
２０６  ＩＣカード
３００  リモコン
３０１  入力デバイス
４００  Ｗｅｂサーバ
５００  Ｗｅｂサーバ
５０１  記憶装置
５０１ａ  関連番組テーブル
５０２  システムコントローラ
５０２ａ  Ｗｅｂコンテンツ提供部
５０２ｂ  Ｗｅｂキーワード抽出部
５０２ｃ  関連番組判定部
５０３  ネットワークＩ／Ｆ
【図１】
2011239085.tif 000003
【図２】
2011239085.tif 000004
【図３】
2011239085.tif 000005
【図４】
2011239085.tif 000006
【図５】
2011239085.tif 000007
【図６】
2011239085.tif 000008
【図７】
2011239085.tif 000009
【図８】
2011239085.tif 000010
【図９】
2011239085.tif 000011
【図１０】
2011239085.tif 000012
【図１１】
2011239085.tif 000013
【図１２】
2011239085.tif 000014
【図１３】
2011239085.tif 000015
【図１４】
2011239085.tif 000016
【図１５】
2011239085.tif 000017
【図１６】
2011239085.tif 000018
【図１７】
2011239085.tif 000019
【手続補正書】
【提出日】平成23年8月19日(2011.8.19)
【手続補正１】
【補正対象書類名】特許請求の範囲
【補正対象項目名】全文
【補正方法】変更
【補正の内容】
【特許請求の範囲】
【請求項１】
放送局から放送された番組コンテンツを、当該番組コンテンツの番組内容を表した番組固有情報とともに記憶装置に記憶する番組録画手段と、
前記記憶装置に記憶された各番組コンテンツの番組固有情報に含まれた所定の文字列を、番組キーワードとして抽出する番組キーワード抽出手段と、
前記番組キーワード抽出手段が抽出した番組キーワードを、当該番組キーワードの抽出元の番組コンテンツを識別する識別情報と、当該番組キーワードが前記番組コンテンツ内に出現する出現時間と関連付けて管理する管理手段と、
Ｗｅｂサーバにアクセスし、当該Ｗｅｂサーバから提供されたＷｅｂコンテンツを取得するＷｅｂコンテンツ取得手段と、
前記Ｗｅｂコンテンツを構成する記事項目に含まれた所定の文字列を、Ｗｅｂキーワードとして抽出するＷｅｂキーワード抽出手段と、
同一の前記識別情報で且つ同一の前記出現時間に関連付けられた各番組キーワード群を、同一の記事項目から抽出されたＷｅｂキーワード群と比較し、一致したキーワードに基づいて、当該記事項目に関連する関連番組が前記各番組キーワード群の出現時間に存在するか否かを判定する判定手段と、
前記関連番組が存在すると判定された出現時間を、当該出現時間の識別情報に対応する番組コンテンツの再生開始ポイントとした再生指示情報を生成する生成手段と、
前記記事項目に関連付けて、当該記事項目の関連番組について前記生成手段が生成した再生指示情報と、当該記事項目に予め設定されたリンク先へのアクセスを指示するアクセス指示情報とを含む操作メニューを表示装置に表示させる表示制御手段と、
を備えたことを特徴とする録画再生装置。
【請求項２】
ユーザ操作を受け付ける操作受付手段と、
前記操作受付手段が前記再生指示情報の選択を受け付けた場合に、この選択された再生指示情報に基づいて、前記番組コンテンツの再生を前記出現時間から開始させる再生制御手段と、
を更に備えたことを特徴とする請求項１に記載の録画再生装置。
【請求項３】
前記再生制御手段は、前記選択された再生指示情報に複数の出現時間が含まれている場合に、これら複数の出現時間から何れか一の出現時間を選択可能な選択画面を前記表示装置に表示させ、この選択画面から選択された出現時間の番組コンテンツを再生の対象に設定することを特徴とする請求項２に記載の録画再生装置。
【請求項４】
前記再生制御手段は、前記再生指示情報に含まれた出現時間の各々に対し、当該出現時間に対応する番組コンテンツの識別情報と、当該出現時間の番組キーワード群と、を関連付けて列挙した前記選択画面を前記表示装置に表示することを特徴とする請求項３に記載の録画再生装置。
【請求項５】
前記再生制御手段は、前記再生指示情報に含まれた出現時間の各々に対し、当該出現時間に対応する番組コンテンツの識別情報と、当該出現時間の番組キーワード群のうち前記Ｗｅｂキーワード群と一致した一致キーワードと、を関連付けて列挙した前記選択画面を前記表示装置に表示することを特徴とする請求項３に記載の録画再生装置。
【請求項６】
前記Ｗｅｂキーワード抽出手段は、前記操作受付手段が選択を受け付けた一の記事項目から、前記Ｗｅｂキーワードの抽出を行うことを特徴とする請求項２〜５の何れか一項に記載の録画再生装置。
【請求項７】
前記Ｗｅｂキーワード抽出手段は、前記Ｗｅｂコンテンツを構成する全て又は一部の記事項目から、前記Ｗｅｂキーワードの抽出を行うことを特徴とする請求項１〜５の何れか一項に記載の録画再生装置。
【請求項８】
前記表示制御手段は、前記判定手段により関連番組が存在すると判定された記事項目に対し、関連番組の再生が可能であることを表した表記情報を関連付け、前記Ｗｅｂコンテンツとともに前記表示装置に表示させることを特徴とする請求項７に記載の録画再生装置。
【請求項９】
番組録画手段が、放送局から放送された番組コンテンツを、当該番組コンテンツの番組内容を表した番組固有情報とともに記憶装置に記憶する番組録画工程と、
番組キーワード抽出手段が、前記記憶装置に記憶された各番組コンテンツの番組固有情報に含まれた所定の文字列を、番組キーワードとして抽出する番組キーワード抽出工程と、
管理手段が、前記番組キーワード抽出工程で抽出された番組キーワードを、当該番組キーワードの抽出元の番組コンテンツを識別する識別情報と、当該番組キーワードが前記番組コンテンツ内に出現する出現時間と関連付けて管理する管理工程と、
Ｗｅｂコンテンツ取得手段が、Ｗｅｂサーバにアクセスし、当該Ｗｅｂサーバから提供されたＷｅｂコンテンツを取得するＷｅｂコンテンツ取得工程と、
Ｗｅｂキーワード抽出手段が、前記Ｗｅｂコンテンツを構成する記事項目に含まれた所定の文字列を、Ｗｅｂキーワードとして抽出するＷｅｂキーワード抽出工程と、
判定手段が、同一の前記識別情報で且つ同一の前記出現時間に関連付けられた各番組キーワード群を、同一の記事項目から抽出されたＷｅｂキーワード群と比較し、一致したキーワードに基づいて、当該記事項目に関連する関連番組が前記各番組キーワード群の出現時間に存在するか否かを判定する判定工程と、
生成手段が、記関連番組が存在すると判定された出現時間を、当該出現時間の識別情報に対応する番組コンテンツの再生開始ポイントとした再生指示情報を生成する生成工程と、
表示制御手段が、前記記事項目に関連付けて、当該記事項目の関連番組について前記生成手段が生成した再生指示情報と、当該記事項目に予め設定されたリンク先へのアクセスを指示するアクセス指示情報とを含む操作メニューを表示装置に表示させる表示制御工程と、
を含むことを特徴とする録画再生方法。
【請求項１０】
放送局から放送された番組コンテンツを、当該番組コンテンツの番組内容を表した番組固有情報とともに記憶装置に記憶する番組録画手段と、
前記記憶装置に記憶された各番組コンテンツの番組固有情報に含まれた所定の文字列を、番組キーワードとして抽出する番組キーワード抽出手段と、
前記番組キーワード抽出手段が抽出した番組キーワードを、当該番組キーワードの抽出元の番組コンテンツを識別する識別情報と、当該番組キーワードが前記番組コンテンツ内に出現する出現時間と関連付けて管理する管理手段と、
Ｗｅｂサーバにアクセスし、当該Ｗｅｂサーバから提供されたＷｅｂコンテンツを取得するＷｅｂコンテンツ取得手段と、
前記Ｗｅｂコンテンツを構成する記事項目に含まれた所定の文字列を、Ｗｅｂキーワードとして抽出するＷｅｂキーワード抽出手段と、
同一の前記識別情報で且つ同一の前記出現時間に関連付けられた各番組キーワード群を、同一の記事項目から抽出されたＷｅｂキーワード群と比較し、一致したキーワードに基づいて、当該記事項目に関連する関連番組が前記各番組キーワード群の出現時間に存在するか否かを判定する判定手段と、
前記関連番組が存在すると判定された出現時間を、当該出現時間の識別情報に対応する番組コンテンツの再生開始ポイントとした再生指示情報を生成し、この生成した再生指示情報を前記記事項目と関連付けて表示装置に表示させる表示制御手段と、
ユーザ操作を受け付ける操作受付手段と、
前記操作受付手段が前記再生指示情報の選択を受け付けた場合に、この選択された再生指示情報に基づいて、前記番組コンテンツの再生を前記出現時間から開始させる再生制御手段と、
を備え、
前記再生制御手段は、前記選択された再生指示情報に複数の出現時間が含まれている場合に、前記再生指示情報に含まれた出現時間の各々に対し、当該出現時間に対応する番組コンテンツの識別情報と、当該出現時間の番組キーワード群とを関連付けて列挙した選択画面を前記表示装置に表示させ、この選択画面から選択された一の出現時間の番組コンテンツを再生の対象に設定することを特徴とする録画再生装置。
【請求項１１】
放送局から放送された番組コンテンツを、当該番組コンテンツの番組内容を表した番組固有情報とともに記憶装置に記憶する番組録画手段と、
前記記憶装置に記憶された各番組コンテンツの番組固有情報に含まれた所定の文字列を、番組キーワードとして抽出する番組キーワード抽出手段と、
前記番組キーワード抽出手段が抽出した番組キーワードを、当該番組キーワードの抽出元の番組コンテンツを識別する識別情報と、当該番組キーワードが前記番組コンテンツ内に出現する出現時間と関連付けて管理する管理手段と、
Ｗｅｂサーバにアクセスし、当該Ｗｅｂサーバから提供されたＷｅｂコンテンツを取得するＷｅｂコンテンツ取得手段と、
前記Ｗｅｂコンテンツを構成する記事項目に含まれた所定の文字列を、Ｗｅｂキーワードとして抽出するＷｅｂキーワード抽出手段と、
同一の前記識別情報で且つ同一の前記出現時間に関連付けられた各番組キーワード群を、同一の記事項目から抽出されたＷｅｂキーワード群と比較し、一致したキーワードに基づいて、当該記事項目に関連する関連番組が前記各番組キーワード群の出現時間に存在するか否かを判定する判定手段と、
前記関連番組が存在すると判定された出現時間を、当該出現時間の識別情報に対応する番組コンテンツの再生開始ポイントとした再生指示情報を生成し、この生成した再生指示情報を前記記事項目と関連付けて表示装置に表示させる表示制御手段と、
ユーザ操作を受け付ける操作受付手段と、
前記操作受付手段が前記再生指示情報の選択を受け付けた場合に、この選択された再生指示情報に基づいて、前記番組コンテンツの再生を前記出現時間から開始させる再生制御手段と、
を備え、
前記再生制御手段は、前記選択された再生指示情報に複数の出現時間が含まれている場合に、前記再生指示情報に含まれた出現時間の各々に対し、当該出現時間に対応する番組コンテンツの識別情報と、当該出現時間の番組キーワード群のうち前記Webキーワード群と一致した一致キーワードとを関連付けて列挙した選択画面を前記表示装置に表示させ、この選択画面から選択された一の出現時間の番組コンテンツを再生の対象に設定することを特徴とする録画再生装置。
【手続補正２】
【補正対象書類名】明細書
【補正対象項目名】０００７
【補正方法】変更
【補正の内容】
【０００７】
実施の形態の録画再生装置は、番組録画手段と、番組キーワード抽出手段と、管理手段と、Ｗｅｂコンテンツ取得手段と、Ｗｅｂキーワード抽出手段と、判定手段と、生成手段と、表示制御手段と、を備えている。番組録画手段は、放送局から放送された番組コンテンツを、当該番組コンテンツの番組内容を表した番組固有情報とともに記憶装置に記憶する。番組キーワード抽出手段は、記憶装置に記憶された各番組コンテンツの番組固有情報に含まれた所定の文字列を、番組キーワードとして抽出する。管理手段は、番組キーワード抽出手段が抽出した番組キーワードを、当該番組キーワードの抽出元の番組コンテンツを識別する識別情報と、当該番組キーワードが前記番組コンテンツ内に出現する出現時間と関連付けて管理する。Ｗｅｂコンテンツ取得手段は、Ｗｅｂサーバにアクセスし、当該Ｗｅｂサーバから提供されたＷｅｂコンテンツを取得する。Ｗｅｂキーワード抽出手段は、Ｗｅｂコンテンツを構成する記事項目に含まれた所定の文字列を、Ｗｅｂキーワードとして抽出する。判定手段は、同一の前記識別情報で且つ同一の前記出現時間に関連付けられた各番組キーワード群を、同一の記事項目から抽出されたＷｅｂキーワード群と比較し、一致したキーワードに基づいて、当該記事項目に関連する関連番組が前記各番組キーワード群の出現時間に存在するか否かを判定する。生成手段は、関連番組が存在すると判定された出現時間を、当該出現時間の識別情報に対応する番組コンテンツの再生開始ポイントとした再生指示情報を生成する。表示制御手段は、記事項目に関連付けて、当該記事項目の関連番組について前記生成手段が生成した再生指示情報と、当該記事項目に予め設定されたリンク先へのアクセスを指示するアクセス指示情報とを含む操作メニューを表示装置に表示させる。